(57)【要約】【課題】高温槽及び低温槽を有する冷熱衝撃装置において、低温空間側を閉鎖する扉を軽量化するとともに、冷気の漏れを良好に防止できる構成を提供する。【解決手段】低温槽３の開口部を複数の領域に仕切るように設けられる仕切板８と、前記開口部の複数に仕切られた領域７ｕ、７ｂのうち１つ（上側領域７ｕ）を開閉可能に設けられた低温槽扉１０と、この低温槽扉１０から突設されるとともに前記仕切板８側に密着可能な第１パッキン２１と、前記仕切板８から突設されるとともに前記低温槽扉１０側に密着可能な第２パッキン２２と、可撓性のフィルム体１９と、を備える。そして、前記低温槽扉１０の閉鎖状態では、前記フィルム体１９が弾性変形しながら前記第１パッキン２１及び前記第２パッキン２２に接触するように構成した。【選択図】図４
2010276620.tif 000002
【特許請求の範囲】
【請求項１】
高温槽及び低温槽を具備してなる冷熱衝撃装置であって、
前記低温槽は、
容器の開口部を開閉可能に設けられた扉体と、この扉体から突設されるとともに前記開口部の縁部に密着可能な第１パッキンと、前記開口部の縁部から突設されるとともに前記扉体側に密着可能な第２パッキンと、前記開口部の縁部または前記扉体の内面側に固定された基部を有する可撓性のフィルム体とを備えるとともに、前記扉体の閉鎖状態では、前記フィルム体が２つの前記パッキンのうち一方のパッキンと接触する部分と前記基部との間に、他方のパッキンが接触する密閉構造を有し、
前記低温槽の開口部が複数の領域に仕切られ、
前記低温槽の扉体は、前記低温槽の開口部の複数に仕切られた領域のうち１つを開閉可能とするように備えられていることを特徴とする冷熱衝撃装置。
【請求項２】
請求項１に記載の冷熱衝撃装置であって、
前記低温槽は、当該低温槽の開口部を複数の領域に仕切るように当該開口部の縁部に設けられた仕切板を備え、
前記第２パッキンは前記仕切板から突設されるように構成され、
前記フィルム体は前記仕切板に設けられていることを特徴とする冷熱衝撃装置。
【請求項３】
容器の開口部を開閉可能に設けられた扉体と、
この扉体から突設されるとともに前記開口部の縁部に密着可能な第１パッキンと、
前記開口部の縁部から突設されるとともに前記扉体側に密着可能な第２パッキンと、
可撓性のフィルム体と、
を備えるとともに、
前記フィルム体の基部は前記扉体の内面側に固定されており、
前記扉体の閉鎖状態では、前記フィルム体が２つの前記パッキンのうち一方のパッキンと接触する部分と前記基部との間に、他方のパッキンが接触することを特徴とする密閉構
造。
【発明の詳細な説明】
【技術分野】
【０００１】
本発明は、例えば高温槽及び低温槽を備えて、試験等のために試料に熱衝撃を付与する冷熱衝撃装置に好適な密閉構造の構成に関する。また、そのような密閉構造を備えた冷熱衝撃装置に関する。
【背景技術】
【０００２】
この種の密閉構造及び冷熱衝撃装置に関し、特許文献１は、断熱壁で囲われた低温空間及び高温空間を備えるとともに、試料容器が両空間の間を移動装置によって移動可能に構成された冷熱衝撃試験装置を開示する。低温空間と高温空間は上下方向に並べて配設されるとともに、それぞれが外部に向けて形成する開口（開放部）は、開閉可能な断熱扉によって閉鎖可能に構成されている。なお、特許文献１に明確な記載はないが、断熱扉又は断熱壁にはパッキンが設けられて、断熱扉を閉鎖したときに低温又は高温の空気が漏れないように構成されているのが通常である。
【先行技術文献】
【特許文献】
【０００３】
【特許文献１】特開２００２−３２３４２３号公報（図３、低温空間１、高温空間２、試料容器５、断熱扉３４、断熱壁３５）
【発明の概要】
【発明が解決しようとする課題】
【０００４】
このような冷熱衝撃装置において、温度差等の種々の事情から開口の縁部が変形することがあり、これがパッキンの許容限界を越えると、パッキンの密着が失われて空気漏れの原因になってしまう。本願発明は以上の事情に鑑みてされたものであり、その主要な目的は、開口の縁部等が変形しても空気の漏れを良好に防止できる密閉構造を提供することにある。
【課題を解決するための手段及び効果】
【０００５】
本発明の解決しようとする課題は以上の如くであり、次にこの課題を解決するための手段とその効果を説明する。
【０００６】
本発明の第１の観点によれば、以下のような構成の密閉構造が提供される。容器の開口部を開閉可能に設けられた扉体と、この扉体から突設されるとともに前記開口部の縁部に密着可能な第１パッキンと、前記開口部の縁部から突設されるとともに前記扉体側に密着可能な第２パッキンと、可撓性のフィルム体と、を備える。前記扉体の閉鎖状態では、前記フィルム体が弾性変形しながら前記第１パッキン及び前記第２パッキンに接触するように構成した。
【０００７】
この構成により、容器の開口部の縁部等が変形する等して、第１パッキン及び第２パッキンと開口部の縁部又は扉体との間に隙間が生じても、弾性変形しているフィルム体が復元力によってこの隙間を塞ぐので、空気の漏れを良好に防止することができる。
【０００８】
前記の密閉構造においては、以下のように構成することが好ましい。前記フィルム体の基部は前記開口部の縁部または前記扉体の内面側に固定されている。前記扉体の閉鎖状態では、前記フィルム体が２つの前記パッキンのうち一方のパッキンと接触する部分と前記基部との間に、他方のパッキンが接触する。
【０００９】
この構成により、扉体の閉鎖状態においてフィルム体がＳ字カーブを描くように弾性変形するので、フィルム体が第１パッキン及び第２パッキンの双方に隙間なく良好に密着する。従って、２つのパッキンと仕切板又は扉体との間の隙間を効果的に塞ぎ、空気の漏れを防止することができる。
【００１０】
前記の密閉構造においては、前記フィルム体は押さえ体を介して前記開口部の縁部に取り付けられており、この押さえ体を開口部の縁部から離間させ又は取り外すことで前記フィルム体を交換可能に構成されていることが好ましい。
【００１１】
この構成により、長期間の使用によりフィルム体にヘタリが生じても、簡単に新しいフィルム体に交換でき、メンテナンス作業を簡素化できる。
【００１２】
本発明の第２の観点によれば、高温槽及び低温槽を備え、前記高温槽又は前記低温槽の少なくとも何れか一方に前記密閉構造を備える冷熱衝撃装置が提供される。
【００１３】
この構成により、高温槽又は低温槽からの空気漏れをフィルム体によって良好に防止することができる。
【００１４】
前記の冷熱衝撃装置においては、以下のように構成することが好ましい。前記低温槽は、当該低温槽の開口部を複数の領域に仕切るように当該開口部の縁部に設けられた仕切板を備える。前記扉体は、前記開口部の複数に仕切られた領域のうち１つを開閉可能とするように備える。前記第２パッキンは前記仕切板から突設されるように構成する。前記フィルム体は前記仕切板に設けられている。
【００１５】
この構成により、低温槽を閉鎖する低温槽扉（扉体）を小さくでき、開閉作業を容易に行うことができる。また、仕切板が冷気の影響で湾曲し、第１パッキン及び第２パッキンと仕切板又は低温槽扉との間に隙間が生じても、弾性変形しているフィルム体が復元力によってこの隙間を塞ぐので、冷気の漏れを良好に防止することができる。
【図面の簡単な説明】
【００１６】
【図１】本発明の一実施形態に係る冷熱衝撃装置の全体的な構成を示した斜視図。
【図２】図１のII−II断面矢視図。
【図３】図２の状態から低温槽扉を閉鎖した様子を示す断面図。
【図４】仕切板が湾曲した状態において低温槽扉を閉鎖した状態を示す断面図。
【図５】フィルム体を開口の四辺に取り付ける第１例を示す説明図。
【図６】フィルム体を開口の四辺に取り付ける第２例を示す説明図。
【図７】フィルム体を開口の四辺に取り付ける第３例を示す説明図。
【発明を実施するための形態】
【００１７】
次に、発明の実施の形態を説明する。図１は本発明の一実施形態に係る冷熱衝撃装置の全体的な構成を示した斜視図、図２は図１のII−II断面矢視図である。図３は図２の状態から低温槽扉を閉鎖した様子を示す断面図である。図４は仕切板が湾曲した状態において低温槽扉を閉鎖した状態を示す断面図である。
【００１８】
図１には冷熱衝撃装置１の全体構成が示され、この冷熱衝撃装置１は、内部に高温槽（高温空間）２及び低温槽（低温空間）３を形成した断熱箱構造の本体（容器）４を備えている。具体的には、本体４の内部空間が上下に区画されて、その上半部が高温槽２とされ、下半部が低温槽３とされている。
【００１９】
冷熱衝撃装置１は図示しない加熱装置及び冷却装置を備え、高温槽２の内部では高温空気が、低温槽３の内部では低温空気が、それぞれ循環するように構成されている。本実施形態の冷熱衝撃装置１では、高温槽２内の温度を最高で２００℃程度、低温槽３内の温度を最低で−８０℃程度に保つことができる。
【００２０】
本体４の内部には試料容器５が支持されており、この試料容器５は、図示しない適宜の移動機構によって、高温槽２と低温槽３との間を上下に移動可能に構成されている。この結果、試料容器５の内部に配置される電子部品等の試料が高温空気又は低温空気に晒され、試料に熱衝撃を与えることができるようになっている。試料容器５を昇降させる移動機構としては、公知のものを適宜採用することができる。
【００２１】
本体４の前面には、前記高温槽２の開口部６及び低温槽３の開口部７が上下に並べて形成されている。それぞれの開口部６、７は矩形状に構成されている。また、低温槽３の開口部７の左右の縁には、細長い形状に構成した、厚み３０ミリメートル程度の仕切板８の両端部が固定される。仕切板８は、低温槽３の開口部７を上下にほぼ２等分するように仕切って、矩形状の上側領域７ｕと下側領域７ｂとを形成するように配置される。
【００２２】
そして、前記開口部７に支架された仕切板８より下側の領域７ｂを閉鎖するように、断熱構造を備えた低温槽カバー９が図略のネジによって固定される（なお、図１は、低温槽３の開口部７の様子を判り易く示すため、低温槽カバー９を取り外した状態を示している）。低温槽カバー９の内面の縁にはパッキン１１が突設されるとともに、前記下側領域７ｂの縁にもパッキン１２が突設される。これら２つのパッキン１１、１２により、下側領域７ｂからの冷気の漏れが防止される。
【００２３】
また、仕切板８より上側の領域７ｕを開閉可能とするために、断熱構造を備えた低温槽扉（扉体）１０が、蝶番１３を介して本体４に枢支されている。低温槽扉１０の内面の縁にはパッキン（第１パッキン）２１が突設されるとともに、前記上側領域７ｕの縁にもパッキン（第２パッキン）２２が突設される。これら２つのパッキン２１、２２は、上側領域７ｕからの冷気の漏れを防止するためのものである。
【００２４】
以上のように、本実施形態では、低温槽３の開口部７を仕切板８によって上側領域７ｕと下側領域７ｂの２つに仕切り、上側領域７ｕを低温槽扉１０によって、下側領域７ｂを低温槽カバー９によって、それぞれ閉鎖した構成になっている。この結果、いわゆる一枚扉の構成に比較して、低温槽扉１０が軽量になり、その開閉も容易に行うことができる。
【００２５】
ここで、本実施形態のような冷熱衝撃装置１に対しては、大きなサイズの試料を試験できるようにするため、あるいは空間内の温度分布を安定化させるために、低温槽３及び高温槽２を広く確保したいというニーズがある。しかしながら、例えば低温槽３を大きく確保すると、その開口部７も大きくなり、それを閉じる扉体も大型化してしまう。その結果、扉体が大重量化して開閉力が例えば３０ｋｇにも上ることがあり、扉の開閉作業が重労働になってしまう。この点、本実施形態では上記のように開口部７を仕切板８で仕切る構成とすることで、低温槽扉１０の軽量化と開閉作業の容易化を実現できている。
【００２６】
更に、前記高温槽２の開口部６を開閉可能とするために、断熱構造を備えた高温槽扉１５が蝶番１４を介して本体４に枢支される。前記開口部６の縁にもパッキン１６が突設されており、高温槽扉１５を閉鎖したときにパッキン１６が当該高温槽扉１５の内面に密着して、高温の空気が開口部６から漏れないようになっている。
【００２７】
図１のII−II断面矢視図としての図２に示すように、上側領域７ｕの縁（四辺のうち一辺）に位置する前記仕切板８は、その前面を平坦な平面（鉛直面）に形成しており、当該前面に前記パッキン１２、２２を設置した構成になっている。また、図１及び図２に示すように、仕切板８の前面には露受け（押さえ体）１７がネジ１８によって固定されており、この露受け１７は、前記低温槽扉１０に露として付着して垂れてくる水滴を受けて溜めることができるようになっている。
【００２８】
図２に示すように、前記仕切板８の前面には可撓性のフィルム体１９が設置されている。このフィルム体１９は厚さが約０．１ミリメートルのシート状に構成したポリエステル製のフィルムであって、仕切板８の長さと同じ程度の長さの長辺を有する長方形状に形成されている。そして、このフィルム体１９の短手方向一端側（基端側、下端側）が、前記露受け１７と前記仕切板８との間に挟まれて、前記ネジ１８によって挟着されている。フィルム体１９の基端側は、前記仕切板８の前面に長手方向全体にわたって隙間なく密着するように、前記露受け１７によって押さえつけられた状態で固定されている。
【００２９】
フィルム体１９の基端側は、前記仕切板８の前面に接する状態で取り付けられ、鉛直方向に向けられている。そしてフィルム体１９は、露受け１７と仕切板８の間の挟着部から上方（フィルム体１９の短手方向他端側であって、遊端側）に向かうに連れて前方側へ曲げられるように弾性変形し、その遊端側は、前記仕切板８の前面から前方へ突出している前記パッキン２２に接触している。
【００３０】
図２は低温槽扉１０の開放状態であり、この状態から低温槽扉１０を閉じると、図３に示すように、低温槽扉１０のパッキン２１が前記フィルム体１９を仕切板８側へ押し、当該パッキン２１はフィルム体１９を挟むようにして仕切板８側に密着する。また、仕切板８側のパッキン２２は、前記フィルム体１９を挟むようにして低温槽扉１０に密着する。即ち、図３の低温槽扉１０の閉鎖状態では、前記フィルム体１９がＳ字状に弾性変形しながら、仕切板８と低温槽扉１０との間の２つのパッキン２１、２２の両方に接触するようになっている。
【００３１】
なお、前記仕切板８は図１に示すように、低温槽３の開口部７の左右幅程度の長さを有するように相当に細長く形成される一方で、あまり前後方向の厚みを大きくすることはできない（仕切板８が低温槽３内部側へ張り出すと、低温槽３内の低温空気の循環が妨げられ、低温槽３を良好に冷却できない）。また、前記仕切板８は低温槽３の冷気に晒されることで、例えば仕切板８の長手方向中央部が前面側からみて数ミリメートル程度凹となるように湾曲し易い。そして、この湾曲の程度が前記パッキン２１、２２の許容限界を超えると、パッキン２１、２２が仕切板８側や低温槽扉１０側に密着できなくなり、仕切板８や低温槽扉１０との間に隙間が生じてしまう。
【００３２】
しかしながら本実施形態では、低温槽扉１０の閉鎖状態において図４のようにパッキン２１と仕切板８の間に隙間が生じ、パッキン２２と低温槽扉１０との間に隙間が生じても、仕切板８に固定されたフィルム体１９がＳ字状に湾曲しながら２つのパッキン２１、２２及び低温槽扉１０の内面に密着することで上記隙間を塞ぐため、低温槽３の冷気が隙間から外部に漏れて大量の結露の原因となったり、低温槽３の温度が上昇したりすることが防止される。
【００３３】
なお、図４の状態において、フィルム体１９のパッキン２２に接触する部分の近傍（遊端側）においては、冷気に晒されるので、その弾性は相当程度低下すると考えられる。しかしながら、フィルム体１９の基部近傍は外気に触れている部分も多く、冷気に余り晒されないので、弾性はさほど失われず、フィルム体１９自体の復元力によってパッキン２１、２２部分の隙間を良好に埋めることができる。
【００３４】
以上に示すように、本実施形態の冷熱衝撃装置１は、高温槽２及び低温槽３と、この低温槽３の開口部７を複数の領域７ｕ、７ｂに仕切るように設けられる仕切板８と、前記開口部７の複数に仕切られた領域のうち１つ（上側領域７ｕ）を開閉可能に設けられた低温槽扉１０と、この低温槽扉１０から突設されるとともに前記仕切板８側に密着可能な第１パッキン２１と、前記仕切板８から突設されるとともに前記低温槽扉１０側に密着可能な第２パッキン２２と、可撓性のフィルム体１９と、を備える。そして図３や図４に示すように、低温槽扉１０の閉鎖状態では、前記フィルム体１９が弾性変形しながら２つのパッキン２１、２２に接触するように構成している。
【００３５】
従って、低温槽３を閉鎖する低温槽扉１０をコンパクト化且つ軽量化でき、開閉作業を容易に行うことができる。また、仕切板８が冷気の影響で湾曲し、図４のようにパッキン２１、２２と仕切板８又は低温槽扉１０との間に隙間が生じても、弾性変形しているフィルム体１９が復元力によってこの隙間を塞ぐので、冷気の漏れを良好に防止することができる。
【００３６】
また、フィルム体１９の基部は前記仕切板８に固定されるとともに、前記低温槽扉１０の開放状態（図２）において、フィルム体１９の遊端側（上端側）が前記第２パッキン２２に接触している。そして、前記低温槽扉１０の閉鎖状態では、図３や図４に示すように、前記フィルム体１９の前記第２パッキン２２との接触部分と前記基部との間に、前記第１パッキン２１が接触するようになっている。従って、低温槽扉１０の閉鎖状態においてフィルム体１９が確実にＳ字カーブを描くように弾性変形するので、フィルム体１９が２つのパッキン２１、２２に隙間なく良好に密着し、パッキン２１、２２と仕切板８又は低温槽扉１０との間の隙間を効果的に塞ぐことができる。また、フィルム体１９の基部付近が冷気にあまり晒されない構造になるので、フィルム体１９自体の弾性を効果的に発揮させ、上記隙間を良好に塞ぐことができる。
【００３７】
また、前記フィルム体１９の基部は、前記低温槽扉１０から垂れる露を下側で受ける露受け１７と前記仕切板８との間で挟着されている。従って、フィルム体１９の固定のための特別な部材が必要なくなり、部品点数を低減することができる。
【００３８】
また、本実施形態では、前記フィルム体１９としてポリエステルフィルムが採用されているので、過酷な低温環境下においても脆化することなく、良好な気密性をもって低温槽扉１０や仕切板８及びパッキン２１、２２に接触でき、隙間からの冷気の漏れを確実に防止できる。
【００３９】
なお、前記フィルム体１９は０．１ミリメートル程度の厚さに構成されているので、低温槽扉１０の開閉もスムーズで、かつ隙間からの冷気の漏れを確実に防止できる。なお、フィルム体１９が薄すぎると、フィルム体１９の弾力が低下するので、図４のように生じた隙間を確実に塞ぐことができず、好ましくない。また、フィルム体１９が厚すぎると、フィルム体１９体の弾力が強すぎてしまい、低温槽扉１０を閉じるときに大きな力が必要になるので、開閉作業の容易さと言う観点から好ましくない。
【００４０】
また、前記フィルム体１９は露受け１７を介して前記仕切板８に取り付けられており、前記ネジ１８を外して露受け１７を取り外すことで、或いは単にネジ１８を緩めて露受け１７を仕切板８から離間させることで、前記フィルム体１９を交換できるように構成されている。従って、長期間の使用により前記フィルム体１９にヘタリが生じた場合でも簡単に新しいフィルム体１９に交換できるので、メンテナンス作業を簡素化できる。
【００４１】
以上に本発明の好適な実施形態を説明したが、上記の構成は例えば以下のように変更することができる。
【００４２】
冷熱衝撃装置１は高温槽２と低温槽３とを上下に並べて配設した構成としているが、これに限らず、例えば横方向に配設しても良い。
【００４３】
仕切板８を複数設けて、低温槽３の開口部７を３つ以上の領域に区画するように構成しても良い。あるいは仕切板８を省略する一方で所謂一枚扉の構成とし、開口部７の縁部に前記フィルム体１９を固定するようにしても良い。
【００４４】
上記の実施形態では、低温槽扉１０の閉鎖時に第１パッキン２１の内側に第２パッキン２２が配置される構成になっているが、内外を逆にして、第２パッキン２２の内側に第１パッキン２１が位置するように構成しても良い。また、上記の実施形態では扉開放時にフィルム体１９が第２パッキン２２に接触しているが（図２）、これに限定されず、扉開放時にフィルム体１９が何れのパッキン２１、２２にも接触しない構成としても良い。
【００４５】
フィルム体１９はポリエステルフィルムに限定されず、他の可撓性を有する薄板状の部材を適宜採用できる。また、フィルム体１９の厚みを変更しても良い。しかしながら、上記のとおり、０．１ミリメートル程度のポリエステルフィルムを用いることが好ましい。
【００４６】
フィルム体１９は露受け１７と仕切板８との間で単に挟み込まれて固定される構成になっているが、フィルム体１９に孔を形成して、この孔に前記ネジ１８を通すようにしても良い。
【００４７】
フィルム体１９を固定する構成としては、露受け１７を用いる構成に限定されず、フィルム体１９を固定するための押さえ体を露受け１７とは別に設けても良い。ただし、押さえ体は、前記フィルム体１９の長手方向全体にわたって隙間なく仕切板８に密着させるように構成することが好ましい。
【００４８】
フィルム体１９の基端を仕切板８にではなく、低温槽扉１０の内面側に固定する構成にしても良い。またフィルム体１９は、前述のように密閉対象としての開口（上側領域７ｕ）の下縁（下辺）のみに取り付けられる場合に限定されず、例えば上辺に取り付けたり、向かい合う二辺に取り付けたり、隣り合う二辺に取り付けたり、開口縁全周にわたって取り付けることができる。矩形の開口７ｕの四辺全周にわたってフィルム体を固定する場合の例が図５〜図７に示され、図５は四辺それぞれに別体のフィルム体１９を取り付けた例、図６は四辺一体型の矩形枠体状のフィルム体１９を取り付ける例、図７は図６のフィルム体１９のコーナー部の内側に４５°の斜めの切込みを形成した例である。図６や図７の場合、フィルム体１９が屈曲したときにコーナー部がよじれ、図７の場合では切込み部が開いて空気漏れする恐れがあるが、図５の場合はコーナー部がよじれにくく、よじれてもフィルム体１９同士が重なっているため空気が漏れにくい利点がある。
【００４９】
上記のフィルム体１９を備える密閉構造は、冷熱衝撃装置１の低温槽３側でなく、高温槽２側に設けることもできる。この場合、前記フィルム体１９の素材は耐熱性を有するものである必要があり、例えば、ポリイミド、テフロン(登録商標）、カーボンフィルム、ガラスクロス等を素材とすることが考えられる。
【００５０】
また、上記の空気漏れ防止のための密閉構造は、冷熱衝撃試験装置のみならず、他の種類の試験装置等にも適用することができる。
【符号の説明】
【００５１】
１  冷熱衝撃装置
２  高温槽
３  低温槽
４  本体（容器）
７  低温槽の開口部
７ｕ  上側領域（開口部の複数に仕切られた領域のうち１つ）
８  仕切板
１０  低温槽扉（扉体）
１７  露受け（押さえ体）
１９  フィルム体
２１  第１パッキン
２２  第２パッキン
【図１】
2010276620.tif 000003
【図２】
2010276620.tif 000004
【図３】
2010276620.tif 000005
【図４】
2010276620.tif 000006
【図５】
2010276620.tif 000007
【図６】
2010276620.tif 000008
【図７】
2010276620.tif 000009